(57)【要約】  子供いたずら防止パッケージ（２０）は、開口端（３６）、少なくとも１つの雄ねじ（３４）、半径方向外方に突出する少なくとも１つのストップ用出張り（３２）を持った口部（２８）を有する容器（２４）と、ベース壁（５６）、容器口部の雄ねじと噛み合うための少なくとも１つの雌ねじ（６４）を有するスカート（６０）、少なくとも１つのばね要素（５８）、及びスカートから半径方向内方に延びる、スカートに設けられた少なくとも１対の内部出張り（７６、７８）を有するクロージャ（２２）と、を含む。スカートの各対の出張りは、第１出張り（７６）及び前記第１出張りから円周方向に間隔を隔てた第２出張り（７８）を含み、前記第１出張りは、前記容器口部のストップ用出張りと協同してスカートの第１出張りを容器口部の対応するストップ用出張りの下に押す圧力が、ばね要素に抗して、クロージャに加えられなければ、口部からのクロージャのねじ外しを防止し、前記第２出張りは、前記容器口部の前記少なくとも１つのストップ用出張りと協同して前記口部へのクロージャの更なるねじ込みを防止する。
2007513027.tif 000002
【特許請求の範囲】
【請求項１】
開口端（３６）、前記開口端に隣接した第１部分及び前記第１部分に設けられた少なくとも１つの雄ねじ（３４）をもった円筒形口部（２８）を有する容器（２４）と、ベース壁（５６）、前記ベース壁に隣接して第１部分と前記口部の前記少なくとも１つの雄ねじと噛み合うための少なくとも１つの雌ねじ（６４）とを有するスカート（６０）、及び前記少なくとも１つのばね要素（５８又は１０６又は１１０）を有するクロージャ（２２）と、を含み、前記少なくとも１つのばね要素は前記口部の前記開口端と作動的に関連して前記クロージャを前記口部の軸線方向に付勢する子供いたずら防止パッケージにおいて、
前記容器口部は、前記開口端から間隔を隔てた第２部分、及び前記少なくとも１つの雄ねじから分離し、前記雄ねじから軸線方向に間隔を隔てており、且つ前記口部から半径方向外方に突出した少なくとも１つのストップ用出張り（３２）を有し、
前記クロージャのスカートは、前記ベース壁から遠方の第２部分と前記第２部分から半径方向内方に延びかつ前記雌ねじから軸線方向に間隔を隔てた少なくとも１対の内部出張り（７６、７８）とを有し、
前記スカートの前記少なくとも一対の出張りは、第１出張り（７６）及び前記第１出張りから円周方向に間隔を隔てた第２出張り（７８）を含み、前記第１出張りは、前記容器口部のストップ用出張りと協同してスカートの第１出張りを容器口部の対応するストップ用出張りの下に押す圧力が、ばね要素に抗して、クロージャに加えられなければ、口部からのクロージャのねじ外しを防止し、前記第２出張りは、前記容器口部の前記少なくとも１つのストップ用出張りと協同して前記口部へのクロージャの更なるねじ込みを防止する、ことを特徴とする子供いたずら防止パッケージ。
【請求項２】
前記口部の前記少なくとも１つのストップ用出張り（３２）は、カム面（５０）を有し、前記スカートの前記第１出張り（７６）は、前記口部のストップ用出張りに係合し且つクロージャが前記口部にねじ込まれるとき第１出張りを前記少なくとも１つのストップ用出張りを通過させるようにクロージャの少なくとも一部分を移動させるようになったカム面（９６）を有する、請求項１に記載のパッケージ。
【請求項３】
ストップ用出張り（３２）のカム面（５０）及び第１出張り（７６）のカム面（９６）は、クロージャが前記口部にねじ込まれるとき第１出張りが前記少なくとも１つのストップ用出張りの下を通過するように軸線方向に傾けられる、請求項２に記載のパッケージ。
【請求項４】
ばね要素（５８又は１０６又は１１０）は、第１出張り（７６）が前記少なくとも１つのストップ出張りの下を通過するときその付勢に抗してだんだんと移動され、第１出張りが前記少なくとも１つのストップ用出張りを通過した後、ばね要素がその未移動位置に向かって戻って前記第１出張りを上昇させて第１出張りを前記少なくとも１つのストップ用出張りと少なくとも部分的に軸線方向に整列させる、請求項３に記載のパッケージ。
【請求項５】
前記スカートの前記少なくとも１つのストップ用出張り（３２）は、前記少なくとも１つのストップ用出張りの前記カム面から円周方向に間隔を隔てたポケット（５２、５４）を含み、前記ポケットは、前記第１出張りが前記少なくとも１つのストップ用出張り（３２）を通過した時前記第１出張りの少なくとも一部分の上に位置するように配置された半径方向外方に延びたフランジ（４４）を含む、請求項２に記載のパッケージ。
【請求項６】
前記フランジ（４４）は、該フランジが前記第１出張りと前記少なくとも１つのストップ用出張りとの係合と前記第２出張りと前記少なくとも１つのストップ用出張りとの係合の間で許される口部に対するクロージャの回転範囲にわたって第１出張りの少なくとも一部分の上に位置するように一定距離円周方向に延びる、請求項５に記載のパッケージ。
【請求項７】
前記第１出張り（７６）は、前記第１出張りが前記ポケットに受け入れられるとき口部に対するクロージャの著しい軸線方向移動を少なくとも抑制するために前記少なくとも１つのストップ用出張りのフランジに係合するようになった円周方向に延びた面（９４）を含む、請求項５に記載のパッケージ。
【請求項８】
前記第１出張り（７６）は、前記フランジに向かい合い、且つ第１出張りが前記ポケットに受け入れられるとき、口部に対するクロージャの軸線方向移動を少なくとも抑制するために前記少なくとも１つのストップ用出張りのフランジに係合するようになった円周方向に延びた面を含む、請求項６に記載のパッケージ。
【請求項９】
第１出張り及びフランジの隣接した面はほぼ平で、互いに平行である、請求項８に記載のパッケージ。
【請求項１０】
前記少なくとも１つのストップ用出張り（３２）は、前記クロージャが前記口部に完全にねじ込まれる時前記第１出張り（７６）に係合するようになった半径方向に且つ軸線方向に延びたストップ面（５２）を含み、第１出張りを前記ストップ面及び前記少なくとも１つのストップ用出張りの下を通過させるのに十分に前記クロージャをばね要素の付勢に抗して軸線方向に移動させるまで、前記クロージャを前記口部から取り外せないようにした請求項１に記載のパッケージ。
【請求項１１】
前記少なくとも１つのストップ用出張りは、前記ポケットの少なくとも一部を構成し且つ前記クロージャが前記口部に完全にねじ込まれる時前記第１出張り（７６）に係合するようになった半径方向に且つ軸線方向に延びたストップ面（５２）を含み、第１出張りを前記ストップ面及び前記少なくとも１つのストップ用出張りの下を通過させるのに十分に前記クロージャをばね要素の付勢に抗して軸線方向に移動させるまで、前記クロージャを前記口部から取り外せないようにした請求項５に記載のパッケージ。
【請求項１２】
前記第１出張り（７６）は、前記少なくとも１つのストップ用出張り（３２）に係合し且つ前記クロージャを前記口部にねじ込む時前記第１出張りを前記少なくとも１つのストップ用出張りの上を通過させるようになったカム面（９６）を有し、前記カム面は、円周方向に延び且つ前記クロージャが前記口部にねじ込まれる時カム面が、カム面の半径方向最内端で最初に前記少なくとも１つのストップ出張りに係合し且つカムメンの半径方向最外端に向かって回転されるように半径方向に傾けられている、請求項１に記載のパッケージ。
【請求項１３】
クロージャによって担持され且つ前記少なくとも１つのばね要素の移動を制限するために前記少なくとも１つのばね要素に係合するようになったばねストップ（１０８）を含む、請求項１に記載のパッケージ。
【請求項１４】
前記少なくとも１つのばね要素は、一端がベース壁によって担持され、ベース壁から軸線方向に延び、半径方向内方に傾けられた弾性部材（１１０）を含み、前記ばねストップは前記少なくとも１つのばね要素の前記一端から半径方向内方に移動される、請求項１３に記載のパッケージ。
【請求項１５】
前記少なくとも１つのばね要素（５８又は１０６又は１１０）は前記ベース壁及びスカートの少なくとも一方から肩持ちされ、且つ可撓性かつ弾力性である自由端を有する、請求項１に記載のパッケージ。
【請求項１６】
前記少なくとも１つのばね要素は、容器の口の内面（４０）とのプラグ密封／弾性係合のための環状壁（５８）からなる、請求項１５に記載のパッケージ。
【請求項１７】
前記内面（４０）は円錐形である、請求項１６に記載のパッケージ。
【請求項１８】
前記環状壁（５８）は、前記ベース壁から逆向きに傾けられ且つ開口端で終わっている、請求項１７に記載のパッケージ。
【請求項１９】
前記環状壁（５８）は外面及び前記外面と前記開口端の間の傾斜面を含む、請求項１８に記載のパッケージ。
【請求項２０】
少なくとも１つのばね要素は複数の円周方向に間隔を隔てたばね要素（１０６）からなる、請求項１５に記載のパッケージ。
【請求項２１】
前記ばね要素の撓み過ぎを防止するために前記少なくとも１つのばね要素に隣接した少なくとも１つのバックアップ要素（１０８）を含む請求項１５に記載のパッケージ。
【請求項２２】
前記ストップ用出張り（３２）は口部の軸線とほぼ垂直に配置された上面を有する、請求項１に記載のパッケージ。
【請求項２３】
軸線、開口端（３０）、及び前記開口端に隣接して前記口部の第１部分に設けられた少なくとも１つの雄ねじ（３４）を有する円筒形口部（２８）含む、子供いたずら防止用容器において、
前記口部は、前記開口端から間隔を隔てた第２部分と、前記少なくとも１つの雄ねじから分離し、前記雄ねじから軸線方向に間隔を隔てており、且つ前記口部から半径方向外方に突出した少なくとも１つのストップ用出張り（３２）を有し、前記ストップ用出張りは、カム面（５０）及び第カム面から時計回りに間隔を隔て、前記カム面の少なくとも一部分よりも前記開口端により近く配置された半径方向外方に延びたフランジ（４４）を有する、子供いたずら防止用容器。
【請求項２４】
前記カム面（５０）は、円周方向に延び且つ前記開口端から前記カム面までの距離がカム面の一端で他端におけるよりも大きいように軸線方向に傾けられる、請求項２３に記載の容器。
【請求項２５】
カム面（５０）の前記一端はカム面の前記他端から時計回りに間隔を隔てている、請求項２４に記載の容器。
【請求項２６】
前記ストップ用出張り（３２）は前記カム面から時計回りに間隔を隔てたストップ面（４６）を有し、前記ストップ面は半径方向外方に且つ前記口部からほぼ軸線方向に延びている、請求項２３に記載の容器。
【請求項２７】
前記ストップ面（４０）の少なくとも一部分は、クロージャの補足し合う出張りの前記口部の前記開口端に向かう移動を抑制するために前記補足し合う出っ張りを受け入れるようになったポケットの少なくとも一部を構成するようにフランジよりも前記開口端から一層軸線方向に離れて配置される、請求項２６に記載の容器。
【請求項２８】
前記カム面（５０）は、円周方向に延び、且つ前記口部の軸線から前記カム面までの距離がカム面の一端で他端よりも大きいように半径方向に傾けられる、請求項２３に記載の容器。
【請求項２９】
カム面（５０）の前記一端はカム面の前記他端から時計回りに間隔を隔てている、請求項２８に記載の容器。
【請求項３０】
ベース壁（５６）と、容器口部の少なくとも１つの雄ねじ（３４）と噛み合うようなった少なくとも１つの雌ねじ（６４）を備えた、前記ベース壁に隣接した第１部分を有するスカート（６０）と、前記ベース壁及びスカートの一方によって担持された少なくとも１つのばね要素（５８又は１０６又は１１０）と、を含む子供いたずら防止用クロージャにおいて、
前記クロージャのスカートは、前記ベース壁から遠方の第２部分を有し、該第２部分は、この第２部分から半径方向内方に延び且つ前記雌ねじから軸線方向に間隔を隔てた少なくとも１対の内部出張り（７６、７８）を有し、
前記スカートの前記少なくとも１対の出張りは、第１出張り（７６）及び前記第１出張りから円周方向に間隔を隔てた第２出張り（７８）を含み、前記第１出張りは、前記容器口部のストップ用出張りと協同してスカートの第１出張りを容器口部の対応するストップ用出張りの下に押す力が、ばね要素に抗して、クロージャに加えられなければ、口部からのクロージャのねじ外しを防止し、前記第２出張りは、前記容器口部の前記少なくとも１つのストップ用出張りと協同して前記口部へのクロージャの更なるねじ込みを制限する、子供いたずら防止パッケージ用クロージャ。
【請求項３１】
第１出張り（７６）は、一方の方向に面したストップ面を有し、第２出張りは、前記一方の方向と反対の方向に面したストップ面を有し、ストップ用出張りがクロージャの反対方向における回転を制限する、請求項３０に記載のクロージャ。
【請求項３２】
第１出張り（７６）のストップ面は反時計回りに面し、第２出張りのストップ面は時計回りに面している、請求項３１に記載のクロージャ。
【請求項３３】
前記第１出張り（７６）は円周方向に延び且つ軸線方向に傾けられたカム面（９６）を有する請求項３０に記載のクロージャ。
【請求項３４】
前記第１出張り（７６）は、円周方向に延び且つ半径方向に傾けられたカム面（９６）を有する、請求項３０に記載のクロージャ。
【請求項３５】
前記少なくとも１つのばね要素（５８又は１０６又は１１０）は前記ベース壁及びスカートの少なくとも一方から肩持ちされ、且つ可撓性かつ弾力性である自由端を有する、請求項３０に記載のクロージャ。
【請求項３６】
前記少なくとも１つのばね要素は、容器の口の内面（４０）とのプラグ密封／弾性係合のための環状壁（５８）からなる、請求項３５に記載のクロージャ。
【請求項３７】
前記内面（４０）は円錐形である、請求項３６に記載のクロージャ。
【請求項３８】
前記環状壁（５８）は、前記ベース壁から逆向きに傾けられ且つ開口端で終わっている、請求項３７に記載のクロージャ。
【請求項３９】
前記環状壁（５８）は外面及び前記外面と前記開口端の間の傾斜面を含む、請求項３８に記載のクロージャ。
【請求項４０】
少なくとも１つのばね要素は複数の円周方向に間隔を隔てたばね要素（１０６）からなる、請求項３５に記載のクロージャ。
【請求項４１】
前記ばね要素の撓み過ぎを防止するために前記少なくとも１つのばね要素に隣接した少なくとも１つのバックアップ要素（１０８）を含む請求項３５に記載のクロージャ。
【発明の詳細な説明】
【技術分野】
【０００１】
本発明は、子供いたずら防止パッケージに、クロージャに、このようなパッケージのための容器に関し、且つこのようなパッケージ、クロージャ、及び容器を作る方法に関する。
【背景技術】
【０００２】
子供いたずら防止パッケージは、普通、水薬瓶、ビタミンボトル、及び腐食性又は危険な物質のための容器を含む多数の他の用途に採用される。
【発明の開示】
【発明が解決しようとする課題】
【０００３】
本発明は、特に、クロージャを容器から取り外すために容器に関してクロージャの軸線方向圧力の付与及び同時回転を伴うこれらのタイプの子供いたずら防止パッケージに関する。本発明は、互いに別々に、もっと好ましくは、互いに組み合わせて満たされる、子供いたずら防止クロージャ、容器、又はパッケージの多数の特徴又は側面を伴う。
【課題を解決するための手段】
【０００４】
子供いたずら防止パッケージは、開口端、少なくとも１つの雄ねじ、半径方向外方に突出した少なくとも１つのストップ用出張りをもった口部を有する容器と、ベース壁、容器口部の雄ねじとの噛み合いのための少なくとも１つの雌ねじを有するスカート、少なくとも１つのばね要素、及びスカートに設けられた少なくとも一対の出張りを有するクロージャと、を含む。スカートの各対の出張りは、第１出張りを含み、該第１出張りは、容器口部のストップ用出張りと協同してスカートの第１出張りを容器口部の対応するストップ用出張りの下に、ばね要素に抗して、押す圧力がクロージャに加えられなければ、口部からのクロージャのねじ外しを防止する。スカートの各対の出張りは好ましくは、第１出張りから円周方向に間隔を隔てた第２出張りを含み、該第２出張りは、容器口部のストップ用出張りと協同して口部上でのクロージャの「ねじ込み過ぎ」又は「締め過ぎ」を防止する。従って、第１出張りは、クロージャを容器口部から取り外すためにクロージャを押して回す必要がある子供いたずら防止特徴を提供する。第２出張りは、出張り、ねじ及びばねの損傷を防止するために、クロージャを容器口部にねじ込むことができる程度を制限するねじストップ特徴を提供する。
【０００５】
子供いたずら防止パッケージの１つの例示実施形態では、容器口部のストップ用出張り及びクロージャスカートの第１出張りは、円周方向に延び且つ軸線方向に傾斜したカム面を有する。クロージャが容器にねじ込まれ又は容器上で回転されるとき、第１出張りとストップ用出張りとの係合範囲中、クロージャはばね要素の付勢に抗して容器に向かってだんだんと移動され、ついには、クロージャの第１出張りが容器口部のストップ用出張りを通過し、その時、ばね要素はクロージャを容器から押し離す。従って、この構成では、クロージャスカートの第１出張りは、容器口部のストップ用出張りの下で滑る又はカム作用する。子供いたずら防止容器パッケージの他の例示実施形態では、クロージャスカートの第１出張りは、ストップ用出張りに係合してクロージャスカートの第１出張りを容器口部のストップ用出張り上で半径方向外方にカム作用させる半径方向に傾斜したカム面を有する。両実施形態において、クロージャスカートの第１出張りが容器口部のストップ用出張りを通過した後、クロージャの逆回転が、第１出張りを容器口部のストップ用出張りの下に移動するのに十分な軸線方向力がばね要素に抗して、クロージャに与えられない限り、第１出張りとストップ用出張りとの係合によって防止される。
【０００６】
本発明のこれら及び他の目的、特徴、利点、及び面は、好ましい実施形態、及び最良の態様、添付の特許請求の範囲及び添付図面の以下の詳細な説明から明らかであろう。
【発明を実施するための最良の形態】
【０００７】
図１及び２は、発明の現時点で好ましい実施形態による子供いたずら防止クロージャ及び容器パッケージ２０を、容器２４に螺着されたクロージャ２２を含むものとして示す。本発明は、ばね付勢力に打ち勝つようにクロージャ２２を容器２４に向かって軸線方向に押して容器から取り外すためにクロージャ２２の回転を可能にする、所謂プーシュアンドターンパッケージである。ばね付勢力は、典型的には、クロージャ２２に別々に取り付けられるライナー（図示せず）の使用なしに提供される。それとして、本発明は、ライナーなしクロージャ２２の使用を含む。
【０００８】
容器２４は、閉底又はベース（図示せず）、ベースから軸線方向に延びる側壁２６、及び側壁２６から軸線方向に延びるほぼ円筒形の口部２８を有する一体成形プラスチック構造のものである。口部２８の直径は側壁の直径よりも小さく、口部２８は肩３０によって側壁２６に連結される。肩３０から軸線方向に変位させて、少なくとも１つ、好ましくは、４つの半径方向に延びた外部出張り又は子供いたずら防止突出部３２が形成されている。同様に、突出部３２から軸線方向に変位させて、少なくとも１つの雄ねじ３４が形成され、雄ねじ３４は、口部２８の円周のまわりに部分的に延びる。口部２８は、テーパ面４０によって口部２８の内面に連結された端３６で軸線方向に終わり、テーパ面４０は、容器２４の開口を少なくとも部分的に構成する。
【０００９】
図１２ないし１４は、容器２４の口部２８のねじ３４及び突出部３２を更に図示する。図１３も口部２８の内面３８、テーパ面４０及び端３６を図示する。図１５は、フランジ又は接線脚部分４４の反時計回りの端に軸線方向脚部分４２を有する突出部３２の１つを示す。軸線方向脚部分４２は、円周方向に面したねじストップ面４６、軸線方向に面した底面４８、及びそれらの間に延びるカム面５０を含む。突出部３２の接線方向脚部分４４は、ねじストップ面４６の反対側に配置され、且つ底面４８と軸線方向に面した子供いたずら防止用保持面５４との間に延びる円周方向に面した子供いたずら防止ストップ面５２を含む。
【００１０】
再び、図１及び２を参照すると、クロージャ２２はプラスチック構造のものであって、横方向に延びるベース壁５６と、容器２４の開口との弾性的な内部係合のための、ベース壁５６から軸線方向に垂下した内環状壁５８の形態をなしたばね要素と、クロージャ２２を容器２４の口部２８に固定するためのベース壁５６から軸線方向に垂下した外環状スカート６０と、を含む。内環状壁５８は、スカート６０の半径方向内方に配置され、且つほぼ軸線方向に延びているが、ベース壁５６から開口端６２まで半径方向外方に傾斜するように逆テーパをなしている。スカート６０は、クロージャ２２を容器２４の口部２８にねじ込むために容器２４の雄ねじ３４との係合のためにベース壁５６に隣接して少なくとも１つの雌ねじ６４を含む。スカート６０は、外面６８を有し、且つスカート６０をベース壁５６の反対側の開口端７０で軸線方向に終わらせる拡張スカート部分６６を更に含む。拡張スカート部分６６は、外肩７２及び内肩７４によってスカートの残部に連結される。開口端７０に近接して、少なくとも１つの子供いたずら防止用出張り又は係止用出張り７６が半径方向内方に延び、また内肩７４に近接して、容器２４へのクロージャ２２のねじ込み過ぎ又は締め過ぎを防止するための少なくとも１つのストップ用出張り７８が半径方向内方に延びている。クロージャ２２の係止用出張り７６は、クロージャ２２が容器２４の口部２８に完全にねじ込まれるとき、容器２４の対応する半径方向に延びた突出部３２に円周方向に係合し、以下で更に説明するように、内環状壁５８の弾力性が係止用出張り７６を押して突出部３２と軸線方向に係合させる。
【００１１】
図７ないし１１は、クロージャ２２の種々の特徴を細かく詳細に更に図示する。例えば、図７は、内面８２の反対側に配置された外面８０、開口端６２、及びそれらの間に延びる傾斜カム面８４を有する内環状壁５８を示す。図７はまた、係止用出張り７６とストップ用出張り７８の間の軸線方向関係を示すのに役立ち、係止用出張り７６は、拡張スカート部分６６の端７０のすぐ軸線方向上に位置決めされ、ストップ用出張り７８は、内肩７４のすぐ軸線方向下に位置決めされる。したがって、係止用出張り７８は係止用出張り７６のすぐ軸線方向上に位置決めされる。
【００１２】
図８は、クロージャ２２の底平面図を示す。内面８２、開口端６２、カム面８４、及び外面８０を有する内環状壁５８が示されている。また、ねじ６４、係止用出張り７６、及びストップ用出張り７８、それらの間の円周方向に配置された隙間８６が示されており、クロージャ２２が容器２４に固定されるとき、容器口部２８の突出部３２（図２）がこの隙間に位置する。最後に、開口端７０及び拡張スカート部分６６の外面６８が示されている。
【００１３】
図９は、ストップ用出張り７８と係止用出張り７６の間の軸線方向関係を更に図示し、拡張スカート部分６６及びストップ用出張り７８は断面で示され、係止用出張り７６は中実で示されている。係止用出張り７６は、円周方向に面した子供いたずら防止ストップ面８８、ストップ面８８に連結された半径方向内面９０、及び半径方向内面９０に連結された傾斜面９２を含む。係止用出張り７６はまた、軸線方向保持面９４及び容器２４（図１）の口部２８の突出部３２との係合のために軸線方向保持面に連結された傾斜カム面９６を含む。
【００１４】
係止用出張り７６の軸線方向保持面９４及び半径方向内面９０が図１０にも示され、係止用出張り７６は拡張スカート部分６６から半径方向内方に一体に延びている。図１０並びに図９からも分かるように、ストップ用出張り７８は、半径方向内面１００に連結され、且つ容器２４（図１）の口部２８の突出部３２に係合する円周方向に面したねじストップ面９８を含む。図１１に示すように、半径方向内面９０は、スカート６０の内肩７４から軸線方向下方に延び、ねじストップ面９８は拡張スカート部分６６から半径方向内方に延びる。
【００１５】
再び、図１及び２を参照すると、クロージャ２２は、拡張スカート部分６６を容器２４の口部２８に整合させ、クロージャ２２を口部に対して回転させることによってクロージャ２２を容器２４に付ける。その際、クロージャ２２のねじ６４は容器２４の口部２８のねじ３４に螺合する。クロージャ２２の連続回転により、遂には、クロージャ２２の内環状壁５８と容器２４の開口との初期の係合に至らせる。図５にも示すように、クロージャ２２の内環状壁５８の傾斜面８４は、容器２４の口部２８の対応する傾斜面４０に密封的に係合してクロージャ２２と容器２４との間の円周方向面接触密封を確保する。このようにして、密封の目的で如何なる種類の別個のライナー部材もクロージャ２２に取り付ける必要がない。クロージャ２２を容器２４に向かってねじ込むと、口部２８の傾斜面４０は内環状壁５８を半径方向内向き方向に圧縮する傾向があり、それによって、クロージャ２２の更なる軸線方向移動抵抗を生じさせる。かくして、合致するテーパ構造はクロージャ２２を容器２４から離れるように軸線方向に付勢する作用を有する。再び図１を参照すると、この付勢作用はクロージャ２２の係止用出張り７６を押して、容器２４の口部２８の突出部３２と上向きに軸線方向係止させ、遂には、クロージャ２２に及ぼされる下向き力が付勢作用に打ち勝ち、この時点で、クロージャ２２を、以下でもっと詳細に論ずるように、容器２４からねじ外しすることができる。換言すれば、内環状壁５８は、直径的な干渉嵌めにより容器２４のテーパ面４０と撓んで係合し、それによって、このような干渉嵌めは内環状壁５８に付勢力を及ぼし、それによって、上向きの力を発生させ、この力は係止用出張り７６を容器２２の突出部３２とほぼ円周方向の整列状態に維持する傾向がある。
【００１６】
容器２４に関してクロージャ２２の継続回転は、クロージャ２２の係止用出張り７６と口部２８の半径方向突出部３２との間の初期係合に至らせる。特に、図６Ａに示すように、クロージャ２２の係止用出張り７６のカム面９６は、最初に半径方向突出部３２のカム面５０に係合する。クロージャ２２を更に回転させると、係止用出張り７６は、協同するカム面５０、９６によって半径方向突出部３２の下を通過する。図６Ｂに示すように、ストップ用出張り７８のストップ面９８は、遂には、クロージャ２２の回転を止めるように突出部３２のストップ面４６に係合し、それによって、クロージャの締め過ぎ及びそれから生ずるクロージャの損傷を防止する。特に、ストップ用出張り７８は、内環状壁５８に過度の圧力を加えてこれを永久に変形させるような締め過ぎを防止する。図６Ｂにも示すように、係止用出張り７６は半径方向突出部３２を超えてほとんど完全に、しかしまったくではなく通過する。むしろ、係止用出張り７６は半径方向突出部３２の接線方向脚部分４４によって軸線方向に覆われ又は捕捉された状態で示され、保持面５４と９４の間には、クロージャが容器２４（図１）に固定されるときクロージャ２２に加えられる下向き圧力の結果である軸線方向空間が示されている。
【００１７】
図６は、クロージャ及び容器パッケージ２０を、クロージャ２２を付けたの後の休止の閉状態で図示し、突出部３２の接線方向脚部分４４は係止用出張り７６を軸線方向に捕捉し、突出部３２の子供いたずら防止ストップ面５２が係止用出張り７６を反時計回り方向に円周方向に止め、クロージャ２２を取り外すことができない。図４は図６と同じ休止の閉状態を図示しており、半径方向突出部３２はストップ用出張り７８と係止用出張り７６との間に円周方向に捕捉され、係止用出張り７６は、半径方向突出部３２の接線方向脚部分４４によって上向き方向に軸線方向に捕捉される。図３は、半径方向突出部３２が係止用出張り７６の反時計回りの移動を防止することが明らかである休止の閉状態を示す。
【００１８】
再び図１を参照すると、クロージャ２２を単に反時計回りの方向に回すだけではクロージャを容器２４から取り外すことはできない。むしろ、先ず、係合し合った内環状壁５８と容器の口及びクロージャの口と容器の口によって引き起こされた上向き付勢力に打ち勝つ下向きの力をクロージャに加えることによってクロージャ２２を容器２４から外す。このような下向きの力により、クロージャ２２のねじ６４と容器２４のねじ３４との間の軸線方向空間３３の中へクロージャ２２を容器に関して軸線方向に移動させることを可能にする。今、図６Ｃを参照すると、上記の軸線方向移動によって、係止用出張り７６は今や反時計回りに回転することができそして半径方向突出部３２の下を自由に通過することができる。図２に示すように、クロージャ２２を容器２４からねじを緩めて外すことができる。
【００１９】
図１６ないし２０は本発明による変形パッケージ１００を示す。容器２４及び口部２８は図１−１５の実施形態におけるようなものである。シールディスク１０２が容器の口部２８の開口を密封し、さもなければそこに取り付けられる。クロージャ１０４のばね要素は複数の円周方向に間隔を隔てたセグメント状ばねフィンガー１０６からなり、該ばねフィンガーはベース壁とスカート６０の接合部に隣接してベース壁５６の内部から垂下している。ばねフィンガー１０６は、クロージャを締めるときディスク１０２の上面に沿って内方に滑るように内方且つ上方に弧状をなしている。各ばねフィンガーは、ばね要素の圧縮過ぎを防止するためにベース壁５６から垂下する少なくとも１つ、好ましくは２つの弧状出張り１０８によって支持される。
【００２０】
図２１−２２は、クロージャに設けられたばね要素が、クロージャスカートに隣接してベース壁の下側から垂下する円周方向に連続な円錐形ばね要素１１０である図１６−２０の実施形態の変更例を示す。ばね要素１１０をシールディスク１０２（図１７）とともに、或いはそれなしで使用してもよい。
【００２１】
かくして、子供いたずら防止パッケージ、クロージャ、容器、及び子供いたずら防止パッケージを作る方法を開示した。本発明の現時点で好ましいいくつかの実施形態を開示した。多数の変更例及び変形例を論じた。当業者は、現時点で好ましい実施形態及び示唆した変更例並びに変形例の説明を、説明のために限定でなく記載したことを容易に認識するであろう。他の変更例及び変形例は当業者に容易に示唆するであろう。本発明は、添付した請求項の精神及び広い範囲に入るあらゆるかかる実施形態、変更例及び変形例を含むものである。更に、例えば、下、上、時計回り、反時計回り等のような、明細書で使用された説明的な形容詞は、添付図面に示すようにパッケージ、クロージャ、及び容器を参照して使用され、一般的には、クロージャを容器の口部に位置させて容器を直立位置で提供する。
【図面の簡単な説明】
【００２２】
【図１】本発明の１つの例示実施形態によるクロージャ及び容器パッケージの断片的な断面図である。
【図２】図１のクロージャ及び容器パッケージの断片的な分解図である。
【図３】図１の実質的に３−３線における断面図である。
【図４】図１の円４内の部分の拡大図である。
【図５】図１の円５内の部分の拡大図である。
【図６】図３の実質的に６−６線におけるクロージャ及び容器パッケージの拡大断面図である。
【図６Ａ】互いに初期係合している容器の一部分及びクロージャの一部分を示す、図６のクロージャ及び容器パッケージの修正図である。
【図６Ｂ】互いに通り過ぎるように回転された容器の一部分及びクロージャの一部分を示す、図６Ａのクロージャ及び容器の修正図である。
【図６Ｃ】容器をクロージャの一部分に関して反時計回りの方向に軸線方向及び円周方向に移動変位させた容器の一部分を示す、図６のクロージャ及び容器パッケージの修正図である。
【図７】図１のクロージャの断面図である。
【図８】図７のクロージャの底面図である。
【図９】９−９線における図７のクロージャの断面図である。
【図１０】１０−１０線における図９のクロージャの断面図である。
【図１１】１１−１１線における図９のクロージャの断面図である。
【図１２】図１の容器の断片的立面図である。
【図１３】図１の容器の平面図である。
【図１４】図１２の図と比較して時計回りに四分の一回転させた、図１の容器の断片的立面図である。
【図１５】図１の容器の一部分の拡大断片的立面図である。
【図１６】子供いたずら防止パッケージの現時点で好ましい他の実施形態の断片的断面図である。
【図１７】図１６に示すパッケージのクロージャ及び容器口を示す断片的斜視図である。
【図１８】図１６−１７に示すパッケージのクロージャの断面図である。
【図１９】クロージャの内部を示す底面図である。
【図２０】クロージャのばね要素及びばねストップを示す拡大断片的断面図である。
【図２１】子供いたずら防止パッケージの変形実施形態のクロージャの断面図である。
【図２２】図２１のパッケージのクロージャの断面図である。
【図１】
2007513027.tif 000003
【図２】
2007513027.tif 000004
【図３】
2007513027.tif 000005
【図４】
2007513027.tif 000006
【図５】
2007513027.tif 000007
【図６】
2007513027.tif 000008
【図６Ａ】
2007513027.tif 000009
【図６Ｂ】
2007513027.tif 000010
【図６Ｃ】
2007513027.tif 000011
【図７】
2007513027.tif 000012
【図８】
2007513027.tif 000013
【図９】
2007513027.tif 000014
【図１０】
2007513027.tif 000015
【図１１】
2007513027.tif 000016
【図１２】
2007513027.tif 000017
【図１３】
2007513027.tif 000018
【図１４】
2007513027.tif 000019
【図１５】
2007513027.tif 000020
【図１６】
2007513027.tif 000021
【図１７】
2007513027.tif 000022
【図１８】
2007513027.tif 000023
【図１９】
2007513027.tif 000024
【図２０】
2007513027.tif 000025
【図２１】
2007513027.tif 000026
【図２２】
2007513027.tif 000027
【国際調査報告】
2007513027.tif 000028
2007513027.tif 000029
2007513027.tif 000030